(57)【要約】【課題】本発明は、異なる電子製品に適用できるキーボードを提供する。【解決手段】本発明に係る電子製品を操作するために用いられ、入力ユニットと、コードスイッチングユニットと、デコーディングユニットと、無線出力ユニットと、を備え、前記入力ユニットは、ユーザーの操作指令を受信してデコーディングユニットに送信し、前記コードスイッチングユニットは、前記電子製品に対応するデコーディング指令を受信して前記デコーディングユニットに送信し、前記デコーディングユニットは、前記デコーディング指令によって前記操作指令を前記電子製品が識別できる操作信号に変換し、前記無線出力ユニットは、前記操作信号を受信し且つ前記電子製品に無線接続されて無線伝送方式で前記操作信号を前記電子製品に送信する。【選択図】図１
2013114681.tif 000002
【特許請求の範囲】
【請求項１】
電子製品を操作するために用いられるキーボードであって、
入力ユニットと、コードスイッチングユニットと、デコーディングユニットと、無線出力ユニットと、を備え、
前記入力ユニットは、ユーザーの操作指令を受信してデコーディングユニットに送信し、
前記コードスイッチングユニットは、前記電子製品に対応するデコーディング指令を受信して前記デコーディングユニットに送信し、
前記デコーディングユニットは、前記デコーディング指令によって前記操作指令を前記電子製品が識別できる操作信号に変換し、
前記無線出力ユニットは、前記操作信号を受信し且つ前記電子製品に無線接続されて無線伝送方式で前記操作信号を前記電子製品に送信することを特徴とするキーボード。
【請求項２】
前記キーボードは、接続モードスイッチ及び有線出力ユニットをさらに備え、前記接続モードスイッチは、キーボードが有線通信モードで作動するかそれとも無線通信モードで作動するかを選択するために用いられ、キーボードが有線通信モードで作動する場合、前記操作信号は、ケーブルによって前記有線出力ユニットから前記電子製品に送信されることを特徴とする請求項１に記載のキーボード。
【請求項３】
前記キーボードは、無線マッチングユニットをさらに備え、複数の電子製品が前記無線出力ユニットに無線接続することができる場合、前記無線マッチングユニットは、製品選択指令を受信して前記無線出力ユニットに接続される電子製品を指定することを特徴とする請求項１〜２のいずれの一項に記載のキーボード。
【請求項４】
前記キーボードは、ワイヤレスアダプターをさらに備え、前記ワイヤレスアダプターは選択された電子製品に接続され、前記無線出力ユニットは、前記ワイヤレスアダプターを識別して前記ワイヤレスアダプターに接続されて、無線伝送方式で前記操作信号を前記ワイヤレスアダプターに送信し、さらに前記電子製品に送信することを特徴とする請求項１〜２のいずれの一項に記載のキーボード
【発明の詳細な説明】
【技術分野】
【０００１】
本発明は、異なる電子製品を操作できるキーボードに関するものである。
【背景技術】
【０００２】
スマートフォン、タブレットコンピューターなどの電子製品は、タッチパネルを入力装置とするが、電子メールを編集するような大量の文字を入力する場合、タッチパネルによって入力することは、キーボードを採用して入力することに比較して非効率的である。だから、スマートフォン、タブレットコンピューターなどの電子製品にキーボードのような文字入力機能を有するホルダーを備えつけることができる。しかし、異なる電子製品は異なるホルダーを必要とするので、このようなホルダーは通用性を有しなく、従って使用不便であり且つコストも高い。
【発明の概要】
【発明が解決しようとする課題】
【０００３】
本発明の目的は、前記課題を解決し、異なる電子製品に適用できるキーボードを提供することである。
【課題を解決するための手段】
【０００４】
前記目的を達成するため、本発明に係るキーボードは、電子製品を操作するために用いられ、入力ユニットと、コードスイッチングユニットと、デコーディングユニットと、無線出力ユニットと、を備え、前記入力ユニットは、ユーザーの操作指令を受信してデコーディングユニットに送信し、前記コードスイッチングユニットは、前記電子製品に対応するデコーディング指令を受信して前記デコーディングユニットに送信し、前記デコーディングユニットは、前記デコーディング指令によって前記操作指令を前記電子製品が識別できる操作信号に変換し、前記無線出力ユニットは、前記操作信号を受信し且つ前記電子製品に無線接続されて無線伝送方式で前記操作信号を前記電子製品に送信する。
【発明の効果】
【０００５】
本発明に係るキーボードのデコーディングユニットは、異なるデコーディング指令によって操作指令を異なる操作信号に変換してから無線出力ユニットによって対応する電子製品に送信し、異なる操作信号は異なる電子製品に対応するので、コードスイッチングユニットに異なるデコーディング指令を入力することにより、キーボードで異なる電子製品を操作することができ、従ってキーボードの通用性を高める。
【図面の簡単な説明】
【０００６】
【図１】本発明の第一実施形態に係るキーボードのブロック図である。
【図２】本発明の第二実施形態に係るキーボードのブロック図である。
【発明を実施するための形態】
【０００７】
図１を参照すると、本発明の第一実施形態に係るキーボードは、入力ユニット１０と、コードスイッチングユニット２０と、デコーディングユニット３０と、接続モードスイッチ４０と、有線出力ユニット５０と、無線出力ユニット６０と、無線マッチングユニット７０と、を備える。
【０００８】
入力ユニット１０は、ユーザーの操作指令を受信してデコーディングユニット３０に送信する。本実施形態において、入力ユニット１０は、キーボードのキーボタンであり、キーボードのキーボタンを押して入力ユニット１０に操作指令を入力する。
【０００９】
コードスイッチングユニット２０は、ユーザーからのデコーディング指令を受信してデコーディングユニット３０に送信する。異なるデコーディング指令は、パーソナルコンピューター、スマートフォン、タブレットコンピューターなどの異なる電子製品に対応する。
【００１０】
デコーディングユニット３０は、コードスイッチングユニット２０からのデコーディング指令によって、入力ユニット１０から送信する操作指令をデコーディング指令に対応する電子製品が識別できる操作信号に変換し、且つ接続モードスイッチ４０によって操作信号を有線出力ユニット５０又は無線出力ユニット６０に送信する。
【００１１】
接続モードスイッチ４０は、キーボードが有線通信モードで作動するかそれとも無線通信モードで作動するかを選択するために用いられる。キーボードが有線通信モードで作動する場合、有線出力ユニット５０は、ケーブルによって電子製品に接続され且つ操作信号を電子製品に送信する。キーボードが無線通信モードで作動する場合、無線出力ユニット６０は電子製品に無線接続され且つ無線伝送方式によって操作信号を電子製品に送信する。キーボードがただ無線接続機能を有する場合、キーボードは有線出力ユニット５０及び接続モードスイッチ４０を備えない。
【００１２】
有線出力ユニット５０は、ケーブルによってユーザーが選択した電子製品に接続され、且つケーブルによって操作信号を電子製品に送信する。
【００１３】
無線出力ユニット６０は、無線接続方式によって無線通信機能を有する電子製品に接続され、且つ無線伝送方式によって操作信号を電子製品に送信する。無線伝送方式は、ブルートゥース（登録商標）、ワイヤレスフィデリティ（Ｗｉ−Ｆｉ）又は無線周波数（ＲＦ）などを備える。
【００１４】
無線マッチングユニット７０は、ユーザーからの製品選択指令を受信して無線出力ユニット６０に接続される電子製品を指定する。例えば、無線出力ユニット６０は、ブルートゥース技術を採用してブルートゥース機能を有する複数の電子製品を発現した場合、これらのブルートゥース機能を有する電子製品は全て無線マッチングユニット７０のオプションになり、ユーザーはその中のいずれか１つの電子製品を選択して無線出力ユニット６０に無線接続することができ、且つブルートゥース伝送方式によって操作信号を選択した電子製品に送信する。しかし、ただ選択した電子製品がコードスイッチングユニット２０が受信したデコーディング指令に対応する電子製品である場合、選択された電子製品は操作信号を識別することができ、従ってキーボードで選択した電子製品を操作することができる。例えば、コードスイッチングユニット２０が受信したデコーディング指令はスマートフォンに対応し、無線マッチングユニット７０によって選択した製品がスマートフォンである場合、キーボードはこのスマートフォンを操作することができる。コードスイッチングユニット２０が受信したデコーディング指令はスマートフォンに対応するが、無線マッチングユニット７０によって選択した製品がパーソナルコンピューターであると、キーボードはパーソナルコンピューターに無線接続することができるが、パーソナルコンピューターはキーボードの操作信号を識別することができなく、従ってキーボードでパーソナルコンピューターを操作することができない。
【００１５】
ユーザーが本発明の第一実施形態に係わるキーボードを利用して無線通信モードで電子製品Ａを操作する場合、ユーザーはコードスイッチングユニット２０に電子製品Ａに対応するデコーディング指令を入力し、接続モードスイッチ４０で無線通信モードを選択し、電子製品Ａは無線マッチングユニット７０のオプションになり、無線マッチングユニット７０を操作して電子製品Ａを選択して、無線出力ユニット６０と電子製品Ａを無線接続する。この時、ユーザーは入力ユニット１０に操作指令を入力して電子製品Ａを操作することができる。
【００１６】
キーボードの有効無線伝送距離内で、キーボードに無線接続することができる電子製品の数が複数である場合、例えば、電子製品Ａ、電子製品Ｂ…電子製品Ｎである場合、これらの電子製品Ａ、電子製品Ｂ…電子製品Ｎは、全て無線マッチングユニット７０のオプションになり、ユーザーは無線マッチングユニット７０を操作して操作しようとする電子製品を選択して、無線出力ユニット６０と選択した電子製品を無線接続することができ、従ってキーボードによって選択した電子製品を操作する。
【００１７】
図２を参照すると、本発明の第二実施形態に係わるキーボードにおいて、ワイヤレスアダプター８０で無線マッチングユニット７０を取り替える。無線出力ユニット６０は、ワイヤレスアダプター８０に無線接続する。異なる無線伝送方式によって、ワイヤレスアダプター８０は、ブルートゥースアダプター又は無線ＬＡＮカードである。
【００１８】
ユーザーが本発明の第二実施形態に係わるキーボードを利用して無線通信モードで電子製品ａを操作する場合、ワイヤレスアダプター８０を電子製品ａに無線接続する。ユーザーはコードスイッチングユニット２０に電子製品ａに対応するデコーディング指令を入力し、接続モードスイッチ４０で無線通信モードを選択し、無線出力ユニット６０は、ワイヤレスアダプター８０を識別し且つワイヤレスアダプター８０に無線接続する。この時、ユーザーは入力ユニット１０に操作指令を入力して電子製品ａを操作することができる。
【００１９】
以上本発明を実施形態に基づいて具体的に説明したが、本発明は上述の実施形態に限定されるものではなく、その要旨から逸脱しない範囲において、種々変更可能であることは勿論であって、本発明の保護範囲は、以下の特許請求の範囲によって規定される。
【符号の説明】
【００２０】
１０  入力ユニット
２０  コードスイッチングユニット
３０  デコーディングユニット
４０  接続モードスイッチ
５０  有線出力ユニット
６０  無線出力ユニット
７０  無線マッチングユニット
８０  ワイヤレスアダプター  
【図１】
2013114681.tif 000003
【図２】
2013114681.tif 000004